(57)【要約】【課題】ＡＴＭ等の装置の入力インタフェースに関し、対象装置に無線で接続された携帯電話と携帯電話上で実行可能なプログラムを使用することで、ユーザから見た入力の共通化、及び簡略化を行うことができる無線携帯端末を使用した装置の入力方式を提供する。【解決手段】装置８と無線携帯端末１を近距離無線通信ネットワークで接続し、装置７のプログラム格納エリア部１０に格納されている、装置８の入力に必要な手順を示したプログラムを装置８から、無線携帯端末１に送信し、そのプログラムを無線携帯端末１で動作させることにより、無線携帯端末１を装置８の入出力デバイスに使用する。【効果】装置ごとに違いがあるユーザインタフェース仕様の共通化を、無線携帯端末および、無線携帯端末にて動作させるプログラムにて容易に実現することができる。【選択図】  図２
2004166021.tif 000002
【特許請求の範囲】
【請求項１】
数字および記号を入力する手段および、近距離無線通信によりネットワークを形成できる手段を備えている無線携帯端末と前記無線携帯端末に近距離無線通信によるネットワークで接続できる手段および、前記無線携帯端末で入力された情報を処理する手段を備えた装置において、無線携帯端末で入力された情報を近距離無線通信によるネットワークにて装置の入力として提供することを特徴とする装置への入力方式。
【請求項２】
請求項１に記載された装置への入力方式において、無線携帯端末が装置と近距離無線通信ネットワークを接続できる範囲に入った時に、装置にて自動的に近距離無線通信ネットワークの接続を行うことができる手段を有することを特徴とする装置への入力方式。
【請求項３】
請求項１に記載された装置への入力方式において、プログラムをロードする手段、当該プログラムを実行する手段を無線携帯端末に有することにより、装置の入力フォーマットの違いにも対応可能としたことを特徴とする装置への入力方式。
【請求項４】
請求項１および２に記載された装置への入力方式において、無線携帯端末で実行するプログラムを端末から送信する手段を有することを特徴とする装置への入力方式。
【請求項５】
請求項１、２および３に記載された装置への入力方式において、無線携帯端末で実行するプログラムの内容を使用する装置の入力フォーマット仕様に応じて、違った内容を送信する手段を有することを特徴とする装置への入力方式。
【請求項６】
請求項１、２および３に記載された装置への入力方式において、無線携帯端末にロードされているプログラムを近距離無線通信ネットワークの接続と同時に確認し、当該プログラムが既にロードされていれば、新たなプログラムをロードしない手段を有することを特徴とする装置への入力方式。
【請求項７】
請求項１、２および３に記載された装置への入力方式において、無線携帯端末の操作手順を記憶保持し、それ以後の操作で記憶保持されている内容と同一の操作が生じたときは無線携帯端末内に記憶保持されている操作内容を展開することで操作の簡略化を図る手段を有することを特徴とする装置への入力方式。
【発明の詳細な説明】
【０００１】
【発明の属する技術分野】
本発明は営業店の窓口装置、現金自動支払い機、発券機等の装置への入力に無線携帯端末を使用したシステムの入力方式に関する。
【０００２】
【従来の技術】
従来の技術として、装置から当該取引に必要なプログラムを携帯電話にダウンロードし、以降装置と携帯電話が回線で接続された状態で装置への入力を携帯電話で代用にする発明がある。
【０００３】
【発明が解決しようとする課題】
上記従来技術は、当該装置と携帯電話の回線を接続するためには、必ず、装置から携帯電話へプログラムをダウンロードする必要があり、通話料が発生する問題があった。
【０００４】
本発明の目的は、このような問題点を改善し、無線携帯端末を使用した装置への入力を安価で簡単に実現する方式を提供することにある。
【０００５】
【課題を解決するための手段】
上記目的を達成するため、本発明の無線携帯端末を使用した装置入力方式は、装置と無線携帯端末を近距離無線通信ネットワークで接続された後に装置の入力に必要な手順を示したプログラムを無線携帯端末に送信することと、装置の入力デバイスとして使用する無線携帯端末の既存の操作内容を無線携帯端末の中に記憶保持しておくことで、それ以後に行われる同一操作を記憶されている内容で実施し、簡略化することができる機構を有することに特徴がある。
【０００６】
【発明の実施の形態】
以下、本発明の実施の形態を図面に基づいて説明する。図１は、本発明の一実施形態における機能ブロック図である。図１は、無線携帯端末１と、営業店窓口装置、現金自動支払い機（以下、ＡＴＭと記す）、鉄道の乗車切符を発売する発券機等の装置８が近距離無線通信ネットワークで結ばれている状態を示す図である。無線携帯端末１は、通常の電話通話に必要な電話回線制御部３と、無線携帯端末１の全制御を行う制御部４と、電話通話に必要なダイヤルを入力と情報を出力表示する入力／出力部６と、Ｂｌｕｅｔｏｏｔｈを代表とする近距離無線通信ネットワーク部２と、制御部４にて実行されるプログラムをロードするプログラムロード部５と、無線携帯端末の操作手順を記憶保持しておく操作手順記憶部７を備える。  装置８は、無線携帯端末１と同じくＢｌｕｅｔｏｏｔｈを代表とする近距離無線通信ネットワーク部９と、装置８の全制御を行う制御部１０と、装置８の入力手順を示し、無線携帯端末１にて実行されるプログラムを格納しておく、プログラム格納エリア部１１と、各種サービスを提供する出力部１４と、出力部１４に対するユーザインタフェースを有する入力部１３と、入力部１３もしくは、制御部１０から送られてくる情報を制御し、出力部１４に伝達する入力制御部１２を備える。
【０００７】
次に、本発明の一実施形態について述べる。図２は、本発明の一実施形態の無線携帯端末１より、装置８へ入力を行うフローチャートの一例である。
【０００８】
ここで、図１および、図２を用いて、無線携帯端末１より、装置８へ入力の一例を行う動作について述べる。まず、携帯電話もしくは、ＰＨＳといった無線携帯端末１のＢｌｕｅｔｏｏｔｈを例とする近距離無線通信ネットワーク部２と、営業店窓口端末、ＡＴＭ、発券機といった装置８の近距離無線通信ネットワーク部８がお互いの近距離無線通信ネットワークをサポートするエリアに入いる（１０１）と、装置８の近距離無線通信ネットワーク９が無線携帯端末１の近距離無線通信ネットワーク２と交信し、自動で近距離無線通信ネットワークを確立（１０２）する。無線携帯端末１と、装置８の間で近距離無線通信ネットワークが確立されると、装置８の制御部１０は、無線携帯端末１のプログラムロード部５に格納されているプログラムを参照し、当該業務に必要なプログラムが格納されているかを確認（１０３）する。
【０００９】
プログラムロード部５に当該業務に必要プログラムが格納されていない場合は、装置８のプログラム格納エリア１１より、当該業務に必要なプログラムを取り出して、近距離無線通信ネットワーク部９を経由して、無線携帯端末１に送信（１０４）する。装置８から無線携帯端末１に送られてきたプログラムは無線携帯端末１の近距離無線通信ネットワーク部２より、制御部４を経由して、プログラムロード部５へロードされる。プログラムロード部５にロードされたプログラムは制御部４の処理にて動作し、無線携帯端末１を装置７の入出力装置へ代行するモードへ移行（１０５）させ、通常、電話回線制御部３にて、電話通話のダイヤルの入力と情報の出力を行う入力／出力部６をいかにも、装置８の入力部１３、出力部１４であるようにエミュレートさせ、装置８にて要求されている入出力内容を入出力できるようにする。無線携帯端末１の入力／出力部６にて入力された内容は、制御部４、近距離無線通信ネットワーク部２を経由して、無線携帯端末１より、装置８に送信（１０６）される。無線携帯端末１より装置８に送信された内容は、装置８の近距離無線通信ネットワーク部９、制御部１０、入力制御部１２を経由して、出力部１４へ送られ、その内容に従って出力部１４は装置７としての処理を実施（１０７）する。また、一連の業務にて無線携帯端末１の入力／出力部６で入力操作された内容は操作記憶部７に記憶され、それ以後に行われる同一の操作に関しては、無線携帯端末１の制御部４が操作記憶部７の内容を参照することで操作を簡略化することができる。
【００１０】
【発明の効果】
本発明によれば、無線携帯端末による装置の代行入力を安価で簡単に実現することができる。
【図面の簡単な説明】
【図１】本発明の一実施形態における機能ブロック図である。
【図２】本発明の一実施形態の無線携帯端末より、装置へ入力を行うフローチャートの一例である。
【符号の説明】
１…無線携帯端末、２…近距離無線通信ネットワーク部、３…電話回線制御部、４…制御部、５…プログラムロード部、６…入力／出力部、７…操作手順記憶部、８…装置、９…近距離無線通信ネットワーク部、１０…制御部、１１…プログラム格納エリア部、１２…入力制御部、１３…入力部、１４…出力部。
【図１】
2004166021.tif 000003
【図２】
2004166021.tif 000004